(57)【要約】【課題】  締結後にボルトが螺合される部材が薄肉化しても、その緩みが防げるボルト・ナットの緩み止め構造およびバルーン式緩み止め具を提供する。【解決手段】  ボルト・ナットの緩み止め構造１０が適用される板材１１，１２が木製の場合、乾燥により板材１１，１２が薄くなると、六角ボルト１３、長ナット１４による板材１１，１２の締結が緩む。しかしながら、この緩みに応じて、六角ボルト１３の頭部１３ａと上側の板材１１との間に介在されたバルーン式緩み止め具１５が、予め内部空間ａに封入されたＮ2ガスの圧力により伸長する。その結果、長ナット１４の緩みを防止することができる。【選択図】図１
2005127418.tif 000002
【特許請求の範囲】
【請求項１】
被締結部材を介在してボルトにねじ込まれたナットの緩み止めを行うボルト・ナットの緩み止め構造において、
前記ボルトの頭部と被締結部材との間、およびまたは、前記ナットと被締結部材との間に、内部空間に封入された気体の圧力の大きさに応じて伸縮するバルーン式緩み止め具を介在して、前記ボルトからのナット緩み止めを行ったボルト・ナットの緩み止め構造。
【請求項２】
対象部材のナット構造部にねじ込まれるボルトの緩み止めを行うボルト・ナットの緩み止め構造において、
前記ボルトの頭部と対象部材との間に、内部空間に封入された気体の圧力の大きさに応じて伸縮するバルーン式緩み止め具を介在して、前記ボルトの緩み止めを行ったボルト・ナットの緩み止め構造。
【請求項３】
前記バルーン式緩み止め具が、前記ボルトの軸部にゆとりを持って外挿される筒形状を有したバルーン本体と、
該バルーン本体に設けられ、前記内部空間に気体を注入する気体注入部とを有した請求項１または請求項２に記載のボルト・ナットの緩み止め構造。
【請求項４】
前記バルーン本体は、金属薄板製で、蛇腹式の伸縮構造を有している請求項１〜請求項３のうち、何れか１項に記載のボルト・ナットの緩み止め構造。
【請求項５】
被締結部材を介在してボルトにねじ込まれたナットの緩み止めを行うバルーン式緩み止め具であって、
前記ボルトの頭部と被締結部材との間、およびまたは、前記ナットと被締結部材との間に介在され、
内部空間に封入された気体の圧力の大きさに応じて伸縮するバルーン式緩み止め具。
【請求項６】
対象部材のナット構造部にねじ込まれたボルトの緩み止めを行うバルーン式緩み止め具であって、
前記ボルトの頭部と対象部材との間に介在され、内部空間に封入された気体の圧力の大きさに応じて伸縮するバルーン式緩み止め具。
【請求項７】
前記バルーン式緩み止め具が、前記ボルトの軸部にゆとりを持って外挿される筒形状を有したバルーン本体と、
該バルーン本体に設けられ、前記内部空間に気体を注入する気体注入部とを有した請求項５または請求項６に記載のバルーン式緩み止め具。
【請求項８】
前記バルーン本体は、金属薄板製で、蛇腹式の伸縮構造を有している請求項５〜請求項７のうち、何れか１項に記載のバルーン式緩み止め具。
【発明の詳細な説明】
【技術分野】
【０００１】
この発明は、振動、繰り返し荷重、衝撃等によるボルト、ナットの緩みを防止するためのボルト・ナットの緩み止め構造およびバルーン式緩み止め具に関する。
【背景技術】
【０００２】
従来のボルト・ナットの緩み止め構造としては、例えば特許文献１のように、ボルトの軸部に締め付け用ナットが螺合する右ネジを螺刻した場合、その軸部の先端部に逆ネジ（左ネジ）を形成し、この逆ネジにロックナットを螺着する構造が一般的である。
軸部の先端部の逆ネジにロックナットが螺合されているので、振動、繰り返し荷重、衝撃等によりナットに緩みが発生すると、ロックナットがナットとは反対方向に回転する。その結果、ナットの緩みが防止される。
【特許文献１】特開２０００−１９９５０９号公報（第１頁、図１）
【発明の開示】
【発明が解決しようとする課題】
【０００３】
しかしながら、この緩み止め構造では、以下の欠点があった。すなわち、重ね合わされた複数の木製の板材（被締結部材）をボルト・ナットにより締結した場合、板材の乾燥によりナットに緩みが発生するおそれがあった。これは、振動、繰り返し荷重といった外力の作用による緩みではない。
このような場合、軸部の逆ネジにロックナットを螺着する特許文献１の緩み止め構造では、振動等の作用によりロックナットがナットの回転方向とは反対方向に回動しないので、緩み防止機能がうまく作動しないおそれがあった。
【０００４】
そこで、この発明は、締結後にボルトが螺合される部材（被締結部材または対象部材）が薄肉化しても、効果的にその緩みを防止することができるボルト・ナットの緩み止め構造およびバルーン式緩み止め具を提供することを目的としている。
また、この発明は、バルーン式緩み止め具を使用位置に容易にセットすることができるとともに、使用中に気体の抜けが発生しても、簡単に気体をバルーン本体に補充することができるバルーン式緩み止め具を提供することを目的としている。
さらに、この発明は、低コスト化を図ることができるバルーン式緩み止め具を提供することを目的としている。
【課題を解決するための手段】
【０００５】
請求項１に記載の発明は、被締結部材を介在してボルトにねじ込まれたナットの緩み止めを行うボルト・ナットの緩み止め構造において、前記ボルトの頭部と被締結部材との間、およびまたは、前記ナットと被締結部材との間に、内部空間に封入された気体の圧力の大きさに応じて伸縮するバルーン式緩み止め具を介在して、前記ボルトからのナット緩み止めを行ったボルト・ナットの緩み止め構造である。
【０００６】
請求項１に記載の発明によれば、例えば木製の被締結部材または対象部材の場合、乾燥によりこの部材が薄くなる。そのため、ボルト・ナットによる被締結部材の締結が緩む。その際、この緩みに応じて、ボルトの頭部と対象部材との間、およびまたは、ナットと対象部材との間に介在されたバルーン式緩み止め具が、予め内部空間に封入された気体の圧力により伸長し、その緩みを防止することができる。
ところで、ナットと木材との間にばね座金を介在し、木材の乾燥による薄肉化現象に対処することが考えられる。しかしながら、ばね座金ではナットの緩みが、ばね座金の厚さの２倍程度までしか緩み止め効果が期待できない。この発明のボルト・ナットの緩み止め構造では、ばね座金の厚さの２倍以上のナットの緩みにも対処することが可能である。
【０００７】
被締結部材としては、例えば木材、金属材、合成樹脂材、セラミックス材などを採用することができる。ボルトとナットとの間には被締結部材が挟まれる。この場合の被締結部材は単一でも複数であってもよい。ボルトとしては植え込みボルト（ｓｔｕｄ  ｂｏｌｔ）を含むものとする。ボルト、ナットの頭部形状は多角形でも円形でもよい。また、その素材、大きさ、形状などは不問である。
バルーン式緩み止め具の素材は限定されない。例えばゴム、合成樹脂などの伸縮性を有する素材でもよいし、例えば金属など伸縮性を有しない素材でもよい。ただし、少なくとも伸縮性を有しない素材の場合には、緩み止め具に伸縮構造が必要となる。
【０００８】
この伸縮構造としては、例えば蛇腹構造、ピストン構造などを採用することができる。
バルーン式緩み止め具は、ボルトに外挿される筒タイプでもよい。また、ボルトに外挿されないタイプでもよい。筒タイプとしては、例えば軸線方向に直交する面に沿った断面形状が、円形、楕円形、三角形、四角形以上の多角形などでもよい。また、バルーン式緩み止め具がボルトに外挿されない場合には、例えば断面円弧形状、断面矩形状などでもよい。
バルーン式緩み止め具に封入される気体としては、例えばＮ2ガス、Ａｒガスなどの不活性ガス、空気などを採用することができる。
【０００９】
請求項２に記載の発明は、対象部材のナット構造部にねじ込まれるボルトの緩み止めを行うボルト・ナットの緩み止め構造において、前記ボルトの頭部と対象部材との間に、内部空間に封入された気体の圧力の大きさに応じて伸縮するバルーン式緩み止め具を介在して、前記ボルトの緩み止めを行ったボルト・ナットの緩み止め構造である。
【００１０】
請求項２に記載の発明によれば、例えば木製の被締結部材または対象部材の場合、乾燥によりこの部材が薄くなる。そのため、ボルト・ナットによる被締結部材の締結が緩む。その際、この緩みに応じて、ボルトの頭部と対象部材との間、およびまたは、ナットと対象部材との間に介在されたバルーン式緩み止め具が、予め内部空間に封入された気体の圧力により伸長し、その緩みを防止することができる。
また、請求項２のボルト・ナットの緩み止め構造では、ばね座金の厚さの２倍以上のナットの緩みにも対処することが可能である。
【００１１】
対象部材としては、例えば木材、金属材、合成樹脂材、セラミックス材などを採用することができる。ボルトとナットとの間には対象部材が挟まれる場合がある。この場合の被締結部材は単一でも複数であってもよい。
ナットを有しない構造についても、この発明を適用することが可能である。すなわち、例えば車体、機械本体などの対象部材に形成したネジ穴にボルトをねじ込む場合にも、ボルトの頭部に逆ネジ部を形成することにより、その緩み止めを行うことができる。
【００１２】
請求項３に記載の発明は、前記バルーン式緩み止め具が、前記ボルトの軸部にゆとりを持って外挿される筒形状を有したバルーン本体と、該バルーン本体に設けられ、前記内部空間に気体を注入する気体注入部とを有した請求項１または請求項２に記載のボルト・ナットの緩み止め構造である。
【００１３】
請求項３に記載の発明によれば、バルーン本体を筒形状としたので、バルーン式緩み止め具の使用位置へのセットが容易になる。また、内部空間に封入された気体が使用中にバルーン本体から抜けた場合には、気体注入部を利用して、バルーン本体内に気体を補充することができる。
気体注入部には、栓構造または弁構造を有してもよい。
【００１４】
請求項４に記載の発明は、前記バルーン本体は、金属薄板製で、蛇腹式の伸縮構造を有している請求項１〜請求項３のうち、何れか１項に記載のボルト・ナットの緩み止め構造である。
請求項４に記載の発明によれば、バルーン本体として、金属薄板製で蛇腹式の伸縮構造を採用したので、バルーン式緩み止め具を低コストで製造することができる。
金属薄板としては、例えばステンレス薄板などを採用することができる。金属薄板の厚さは限定されない。例えば０．５〜３ｍｍ程度である。
【００１５】
請求項５に記載の発明は、被締結部材を介在してボルトにねじ込まれたナットの緩み止めを行うバルーン式緩み止め具であって、前記ボルトの頭部と被締結部材との間、およびまたは、前記ナットと被締結部材との間に介在され、内部空間に封入された気体の圧力の大きさに応じて伸縮するバルーン式緩み止め具である。
【００１６】
請求項５に記載の発明によれば、例えば木製の被締結部材または対象部材の場合、乾燥によりこの部材が薄くなる。そのため、ボルト・ナットによる被締結部材の締結が緩む。その際、緩みに応じて、ボルトの頭部と対象部材との間、およびまたは、ナットと対象部材との間に介在されたバルーン式緩み止め具が、予め内部空間に封入された気体の圧力により伸長し、緩みを防止することができる。
また、請求項５のバルーン式緩み止め具では、ばね座金の厚さの２倍以上のナットの緩みにも対処することが可能である。
【００１７】
請求項６に記載の発明は、対象部材のナット構造部にねじ込まれたボルトの緩み止めを行うバルーン式緩み止め具であって、前記ボルトの頭部と対象部材との間に介在され、内部空間に封入された気体の圧力の大きさに応じて伸縮するバルーン式緩み止め具である。
【００１８】
請求項６に記載の発明によれば、例えば木製の被締結部材または対象部材の場合、乾燥によりこの部材が薄くなる。そのため、ボルト・ナットによる被締結部材の締結が緩む。その際、緩みに応じて、ボルトの頭部と対象部材との間、およびまたは、ナットと対象部材との間に介在されたバルーン式緩み止め具が、予め内部空間に封入された気体の圧力により伸長し、緩みを防止することができる。
また、請求項６のバルーン式緩み止め具では、ばね座金の厚さの２倍以上のナットの緩みにも対処することが可能である。
【００１９】
請求項７に記載の発明は、前記バルーン式緩み止め具が、前記ボルトの軸部にゆとりを持って外挿される筒形状を有したバルーン本体と、該バルーン本体に設けられ、前記内部空間に気体を注入する気体注入部とを有した請求項５または請求項６に記載のバルーン式緩み止め具である。
【００２０】
請求項７に記載の発明によれば、バルーン本体を筒形状としたので、バルーン式緩み止め具の使用位置へのセットが容易になる。また、内部空間に封入された気体が使用中にバルーン本体から抜けた場合には、気体注入部を利用して、バルーン本体内に気体を補充することができる。
【００２１】
請求項８に記載の発明は、前記バルーン本体は、金属薄板製で、蛇腹式の伸縮構造を有している請求項５〜請求項７のうち、何れか１項に記載のバルーン式緩み止め具である。
【００２２】
請求項８に記載の発明によれば、バルーン本体として、金属薄板製で蛇腹式の伸縮構造を採用したので、バルーン式緩み止め具を低コストで製造することができる。
【発明の効果】
【００２３】
請求項１および請求項２に記載のボルト・ナットの緩み止め構造および請求項５および請求項６に記載のバルーン式緩み止め具によれば、例えばボルトが螺合される部材が木製であって、乾燥によりその部材が薄くなっても、緩みに応じて、バルーン式緩み止め具が、内部空間に封入された気体の圧力により伸長するので、緩みを防止することができる。
【００２４】
請求項３に記載のボルト・ナットの緩み止め構造および請求項７に記載のバルーン式緩み止め具によれば、バルーン本体を筒形状としたので、バルーン式緩み止め具の使用位置へのセットを容易に行うことができる。また、使用中にバルーン本体から気体の抜けが生じても、気体注入部を通して気体を補充することができる。
【００２５】
請求項４に記載のボルト・ナットの緩み止め構造および請求項８に記載のバルーン式緩み止め具によれば、バルーン本体として、金属薄板製で蛇腹式の伸縮構造を採用したので、バルーン式緩み止め具を低コストで製造することができる。
【発明を実施するための最良の形態】
【００２６】
以下、この発明の実施例を図面を参照して説明する。説明の都合上、実施例中の上下は、図面上での上下を示す。
【実施例１】
【００２７】
図１において、１０はボルト・ナットの緩み止め構造（以下、緩み止め構造）で、この緩み止め構造１０は、重ね合わされた２枚の板材（被締結部材）１１，１２間に挿着されたボルト・ナット構造体において、六角ボルト１３にねじ込まれた長ナット１４の緩み止めを行うものである。緩み止め構造１０では、六角ボルト１３の頭部１３ａと上側の板材１１との間に、内部空間ａに封入されたＮ2ガス（気体）の圧力の大きさに応じて伸縮するバルーン式緩み止め具１５が介在される。
【００２８】
以下、ボルト・ナットの緩み止め構造１０を詳細に説明する。
図１および図２に示すように、六角ボルト１３と長ナット１４とは螺着され、その間に木製の板材１１，１２が挟圧・固定される。六角ボルト１３は六角形の頭部１３ａと所定の長さで先端側にネジが螺刻された軸部１３ｂとを有している。このネジは、例えば並目メートルネジとする。六角ボルト１３に代えて、植え込みボルトなどを採用してもよい。
長ナット１４の内周面には、軸部１３ｂのネジに螺合する内周面ネジ１４ａが切られている。また、長ナット１４の外周面には六角形状のスパナ等係止部１４ｂが設けられている。
六角ボルト１３および長ナット１４の材質、寸法などは、その使用部位などに応じて宜選決定される。
【００２９】
バルーン式緩み止め具１５は、六角ボルト１３の軸部１３ｂにゆとりを持って外挿される円筒形状を有する蛇腹式のバルーン本体１６と、バルーン本体１６に設けられ、内部空間ａにＮ2ガスを注入する逆止弁（気体注入部）１７とを有している。
バルーン本体１６は、所定厚さのステンレス薄板製で、その胴部の内周板および外周板が波形状である蛇腹式の伸縮構造を有している。バルーン本体１６の上端面の一部に、逆止弁１７が設けられている。
【００３０】
また、バルーン本体１６の上端面および下端面には、１対の座金１８，１９がそれぞれ着脱自在に配置されている。上側の座金１８は厚肉で、その内縁部には、バルーン本体１６の内側の空間（六角ボルト１３の挿通空間）に向かって内筒ガイド２０が突設されている。下側の座金１９は薄肉で、その内縁部には、バルーン本体１６の内側の空間に向かって外筒ガイド２１が突設されている。内筒ガイド２０と外筒ガイド２１とは、バルーン本体１６の内側の空間で互いに抜き差し自在に挿着されている。内筒ガイド２０と外筒ガイド２１との軸線方向の長さは、バルーン式緩み止め具１５の使用時において、バルーン本体１６の軸線方向の長さよりそれぞれ短くなっている。この寸法差が、バルーン式緩み止め具１５が伸縮する最大長さである。この寸法差を調整することで、例えば座金１８，１９の厚さの２倍以上の緩みに対処することができる。
【００３１】
以上の構成に係る緩み止め構造１０では、まず、六角ボルト１３の軸部１３ｂにバルーン式緩み止め具１５をゆとりを持って外挿する。
次に、板材１１，１２の孔に軸部１３ｂを挿通する。このとき、軸部１３ｂの先端部が外部に突出する。この突出部に長ナット１４をねじ込む。よって、板材１１，１２は、所定トルクでねじ込まれた長ナット１４により、長ナット１４とバルーン式緩み止め具１５との間で挟まれ、強固に結合される。
そして、この締結構造において、例えば木製の板材１１，１２が乾燥して薄くなったり、振動などが作用して長ナット１４が緩もうとすると、緩みに応じて、バルーン本体１６の内部空間ａに封入されたＮ2 ガスの圧力により、内筒ガイド２０、外筒ガイド２１に案内されながら、バルーン式緩み止め具１５が伸長する。その結果、長ナット１４の緩み止めがなされる。
【００３２】
また、バルーン本体１６を筒形状としたので、バルーン式緩み止め具１５の使用位置、具体的には六角ボルト１３の頭部１３ａと上側の板材１１との間へのバルーン式緩み止め具１５のセットが容易になる。また、使用中、バルーン本体１６からＮ2 ガスが抜けた場合には、逆止弁１７を利用して、バルーン本体１６内にＮ2ガスを補充することができる。
さらに、バルーン本体１６として、金属薄板製で蛇腹式の伸縮構造を採用したので、バルーン式緩み止め具１５を低コストで製造することができる。
【００３３】
図３を参照して、この発明の他の実施例に係るボルト・ナットの緩み止め構造を説明する。
図３に示すように、他の実施例のボルト・ナットの緩み止め構造３０では、ナット１４を使用せず建築用の木製の基台（対象部材）３１に形成されたネジ穴（ナット構造部）３１ａに六角ボルト３２をねじ込むことで、木製の板材（被締結部材）３３を基台３１に固着するものである。六角ボルト３２の軸部３２ｂには、バルーン式緩み止め具１５がゆとりを持って外挿されている。すなわち、バルーン式緩み止め具１５は、六角ボルト３２の頭部３２ａと板材３３との間に介在され、基台３１および板材３３の乾燥による薄肉化に対応することができる。
その他の構成、作用および効果は、前記実施例と同じとなるので省略する。
【図面の簡単な説明】
【００３４】
【図１】この発明の一実施例に係るボルト・ナットの緩み止め構造の一部を破断して示した正面図である。
【図２】この発明の一実施例に係るバルーン式緩み止め具の平面図である。
【図３】この発明の他の実施例に係るボルト・ナットの緩み止め構造の一部を破断して示した正面図である。
【符号の説明】
【００３５】
１０  ボルト・ナットの緩み止め構造、
１１，１２，３３  板材（被締結部材）、
１３，３２  六角ボルト、
１３ａ，３２ａ  頭部、
１３ｂ，３２ｂ  軸部、
１４  長ナット、
１５  バルーン式緩み止め具、
１７  逆止弁（気体注入部）、
３１  基台（対象部材）、
３１ａ  ネジ孔（ナット構造部）、
ａ  内部空間。
【図１】
2005127418.tif 000003
【図２】
2005127418.tif 000004
【図３】
2005127418.tif 000005